(57)【要約】  本発明は、２-エチルヘキサノールと脂肪酸の脂肪酸エステル混合物であって、Ｃ12およびＣ14の２-エチルヘキシル脂肪酸エステルの合計が、脂肪酸エステルの総合計を基準に８５％以上である脂肪酸エステル混合物を提供する。また本発明は、化粧品および／または医薬品調製物における、特に油成分としての、これら脂肪酸エステル混合物の使用を提供する。【特許請求の範囲】
【請求項１】
２-エチルヘキサノールと脂肪酸の脂肪酸エステル混合物であって、Ｃ12およびＣ14の２-エチルヘキシル脂肪酸エステルの合計が、脂肪酸エステルの総合計を基準に８５％以上である脂肪酸エステル混合物。
【請求項２】
Ｃ12およびＣ14の２-エチルヘキシル脂肪酸エステルの合計が、脂肪酸エステルの総合計を基準に、好ましくは９０％以上、特に９５％以上であることを特徴とする請求項１に記載の脂肪酸エステル混合物。
【請求項３】
２-エチルヘキサノールと脂肪酸の脂肪酸エステル混合物であって、１０以下のＣ鎖長を有する２-エチルヘキシル脂肪酸エステルの合計が、脂肪酸エステルの総合計を基準に３％以下である脂肪酸エステル混合物。
【請求項４】
１０以下のＣ鎖長を有する２-エチルヘキシル脂肪酸エステルの合計が、脂肪酸エステルの総合計を基準に、２％以下、特に１.５％以下であることを特徴とする請求項３に記載の脂肪酸エステル混合物。
【請求項５】
２-エチルヘキサノールと脂肪酸の脂肪酸エステル混合物であって、１６以上のＣ鎖長を有する２-エチルヘキシル脂肪酸エステルの合計が、脂肪酸エステルの総合計を基準に８％以下である脂肪酸エステル混合物。
【請求項６】
１６以上のＣ鎖長を有する２-エチルヘキシル脂肪酸エステルの合計が、８％以下、特に４％以下、好ましくは３％以下、特に２％以下であることを特徴とする請求項５に記載の脂肪酸エステル混合物。
【請求項７】
２-エチルヘキサノールと脂肪酸の脂肪酸エステル混合物であって、２-エチルヘキシル脂肪酸エステルが、脂肪酸エステルの総合計を基準に、以下のＣ鎖分布：
(ａ)Ｃ12が、６０％以上、好ましくは６５％以上、特に７０％以上；および
(ｂ)Ｃ14が、１５〜４０％、特に２０〜３５％、好ましくは２５〜３０％；
を有することを特徴とする脂肪酸エステル混合物。
【請求項８】
１０以下のＣ鎖長を有する２-エチルヘキシル脂肪酸エステルの合計が、脂肪酸エステルの総合計を基準に、３％以下、特に２％以下、好ましくは１％以下であることを特徴とする請求項７に記載の脂肪酸エステル混合物。
【請求項９】
１６以上のＣ鎖長を有する２-エチルヘキシル脂肪酸エステルの合計が、脂肪酸エステルの総合計を基準に、８％以下、特に４％以下、好ましくは３％以下、特に２％以下であることを特徴とする請求項７または８に記載の脂肪酸エステル混合物。
【請求項１０】
化粧品および／または医薬品調製物における、請求項１〜９のいずれかに記載の脂肪酸エステル混合物の使用。
【請求項１１】
油成分としての、請求項１０に記載の使用。
【発明の詳細な説明】
【技術分野】
【０００１】
本発明は、広くは化粧品成分に、特に、２-エチルヘキサノールと脂肪酸の脂肪酸エステル混合物であって、Ｃ12およびＣ14の２-エチルヘキシル脂肪酸エステルの合計が８５％以上である脂肪酸エステル混合物に関する。
【背景技術】
【０００２】
消費者は、皮膚ケアおよび毛髪ケア化粧品エマルジョンが、様々な要求を満たすことを期待する。洗浄効果および皮膚／毛髪ケア効果とは別に、非常に高い皮膚適合性、良好な脂質層増強特性、優美な外観、最良の感覚的印象および貯蔵安定性などの多様なパラメーターに価値が置かれている。
【０００３】
多数の界面活性剤に加えて、ヒト皮膚および毛髪の洗浄およびケアに使用される調製物は、特に、油成分および水を含有するのが普通である。使用される油成分／軟化剤には、例えば、炭化水素、エステル油、ならびに、植物および動物の油／脂肪／ワックスが含まれる。感覚特性および最良の皮膚適合性に関する厳格な産業上の要求を満たすために、新規な油成分が継続的に開発され、試験されている。
【０００４】
良好な拡散特性を有する油は、これらが感覚的に軽い調製物のための重要な因子であるため、化粧品産業において高く格付けされている。この群の重要な代表例は、イソプロピルエステル、例えば、ミリスチン酸イソプロピル(ＩＰＭ)およびパルミチン酸イソプロピル(ＩＰＰ)である。あいにく、化粧品化学者は、この群の生成物を、その負の感覚的印象のゆえに、即ち、皮膚に塗ったときにはっきり聞こえる擦れ音および付随する不快な乾いた感覚的印象のゆえに批判することが多い。さらに、イソプロピルエステルは、にきび生成の可能性があるという欠点を有する。
【０００５】
他の既知の油成分は、２-エチルヘキサノールの脂肪酸エステル、例えば、２-エチルヘキサノールとステアリン酸(Ｃ18)とのエステル[これは、ＩＮＣＩ名称：エチルヘキシル ステアレートのもとで市販されている；例えば、CetiolＲ 868(Cognisから)；CrodamolＲ OS(Croda Inc.から)；EstolＲ 1514(Uniquemaから)]などである。
【０００６】
他の既知の油成分は、２-エチルヘキサノールとラウリン酸(Ｃ12、ドデカン酸)との脂肪酸エステル[これは、ＩＮＣＩ名称：エチルヘキシル ラウレートのもとで市販されている；例えば、ＡＥＣ エチルヘキシル ラウレート(A. & E. Connock Ltd.から)；EstolＲ 3613(Uniquemaから)]である。また知られているのは、２-エチルヘキサノールとミリスチン酸(Ｃ14、テトラデカン酸)との脂肪酸エステル[これは、ＩＮＣＩ名称：エチルヘキシル ミリステートのもとで市販されている；例えば、ＡＥＣ エチルヘキシル ラウレート(A. & E. Connock Ltd.から)]である。さらに、２-エチルヘキシルヘキサノールのヤシ油脂肪酸エステルが、ＩＮＣＩ名称：エチルヘキシル ココエートのもとで市販されている[例えば、CrodamolＲ OC(Croda Inc.から)]。この製品は、ヤシ油脂肪酸との２-エチルヘキシル脂肪酸エステルである。ヤシ油の脂肪酸分布は、次の典型的な組成を有する：Ｃ12(ドデカン酸、ラウリン酸) ４５〜５３重量％、Ｃ14(テトラデカン酸、ミリスチン酸) １５〜２１重量％、Ｃ16(パルミチン酸) ７〜１１重量％、Ｃ18：1(オレイン酸) ６〜８重量％、Ｃ18(ステアリン酸) ２〜４重量％、Ｃ10(デカン酸) ５〜１０重量％、Ｃ8(オクタン酸) ５〜１０重量％、Ｃ6(ヘキサン酸) １重量％以下[出典：Ullmanns Encyclopedia of Industrial Chemistry、2005、Wiley & Sons]。
【０００７】
欧州特許ＥＰ０７３２９１２Ｂ１(国際特許出願公開ＷＯ９５／１５７４３)は、以下のＣ鎖分布：＞３重量％のＣ14、４５〜５３重量％のＣ16、４３〜５２重量％のＣ18および＜２重量％のＣ18を有する脂肪酸に基づく２-エチルヘキシルエステルとゲルベ(Guerbet)アルコールの混合物を記載している。
【発明の開示】
【発明が解決しようとする課題】
【０００８】
本発明が解決しようとする課題は、化粧品および／または医薬品調製物において、およびそれ自体で油成分として、皮膚に滑らかな印象を残し、非常にわずかのベトベト感しか与えず、高い柔軟性を与え、そしてにきび生成の可能性を持たない高拡散性の油を見いだすことであった。
【課題を解決するための手段】
【０００９】
驚くべきことに、２-エチルヘキサノールと特定の脂肪酸分布を有する脂肪酸に基づくエステル混合物が、本発明の課題を解決することがわかった。
即ち、本発明は、２-エチルヘキサノールと脂肪酸の脂肪酸エステル混合物であって、Ｃ12およびＣ14の２-エチルヘキシル脂肪酸エステルの合計が、脂肪酸エステルの総合計を基準に８５％以上である脂肪酸エステル混合物に関する。Ｃ12およびＣ14の２-エチルヘキシル脂肪酸エステルの合計は、脂肪酸エステルの総合計を基準に、好ましくは９０％以上、特に９５％以上である。
通常、その残りは、２-エチルヘキサノールとＣ鎖長がＣ4〜Ｃ22、特にＣ6〜Ｃ20である脂肪酸との脂肪酸エステルからなる。
【００１０】
また本発明は、２-エチルヘキサノールと脂肪酸の脂肪酸エステル混合物であって、１０以下のＣ鎖長を有する２-エチルヘキシル脂肪酸エステルの合計が、脂肪酸エステルの総合計を基準に３％以下である脂肪酸エステル混合物に関する。１０以下のＣ鎖長を有する２-エチルヘキシル脂肪酸エステルの合計は、脂肪酸エステルの総合計を基準に、好ましくは２％以下、より好ましくは１.５％以下、最も好ましくは１％以下である。
【００１１】
また本発明は、２-エチルヘキサノールと脂肪酸の脂肪酸エステル混合物であって、１６以上のＣ鎖長を有する２-エチルヘキシル脂肪酸エステルの合計が、脂肪酸エステルの総合計を基準に８％以下である脂肪酸エステル混合物に関する。１６以上のＣ鎖長を有する２-エチルヘキシル脂肪酸エステルの合計は、脂肪酸エステルの総合計を基準に、好ましくは４％以下、より好ましくは３％以下、最も好ましくは２％以下である。
【発明の効果】
【００１２】
既知の脂肪酸エステル混合物はいずれも、本発明に係る２-エチルヘキシル脂肪酸エステル分布を有していなかった。驚くべきことに、本発明に係る２-エチルヘキシル脂肪酸エステル分布を有する混合物は、高拡散性の油成分であるだけでなく、高い柔軟性、優れたケア特性、皮膚適合性をも有し、極めてわずかのベトベト感しか有さないことがわかった。さらに、これらの油成分は、にきび生成の可能性を持たず、化粧品配合物に容易に導入することができる。
【発明を実施するための最良の形態】
【００１３】
本発明の好ましい態様は、Ｃ12およびＣ14の２-エチルヘキシル脂肪酸エステルの合計が、脂肪酸エステルの総合計を基準に８５％以上であり、１０以下のＣ鎖長を有する２-エチルヘキシル脂肪酸エステルの合計が、脂肪酸エステルの総合計を基準に３％以下である２-エチルヘキサノールと脂肪酸の脂肪酸エステル混合物に関する。
【００１４】
本発明の好ましい態様は、Ｃ12およびＣ14の２-エチルヘキシル脂肪酸エステルの合計が、脂肪酸エステルの総合計を基準に８５％以上であり、１６以上のＣ鎖長を有する２-エチルヘキシル脂肪酸エステルの合計が、脂肪酸エステルの総合計を基準に８％以下である２-エチルヘキサノールと脂肪酸の脂肪酸エステル混合物に関する。
【００１５】
本発明の好ましい態様は、Ｃ12およびＣ14の２-エチルヘキシル脂肪酸エステルの合計が、脂肪酸エステルの総合計を基準に８５％以上であり、１０以下のＣ鎖長を有する２-エチルヘキシル脂肪酸エステルの合計が、脂肪酸エステルの総合計を基準に３％以下であり、１６以上のＣ鎖長を有する２-エチルヘキシル脂肪酸エステルの合計が８％以下である２-エチルヘキサノールと脂肪酸の脂肪酸エステル混合物に関する。
【００１６】
これら全ての態様において、Ｃ12およびＣ14の２-エチルヘキシル脂肪酸エステルの合計は、脂肪酸エステルの総合計を基準に、好ましくは９０％以上、特に９５％以上である。
【００１７】
これら全ての態様において、１０以下のＣ鎖長を有する２-エチルヘキシル脂肪酸エステルの合計は、脂肪酸エステルの総合計を基準に、好ましくは２％以下、より好ましくは１.５％以下、最も好ましくは１％以下である。
【００１８】
これら全ての態様において、１６以上のＣ鎖長を有する２-エチルヘキシル脂肪酸エステルの合計は、脂肪酸エステルの総合計を基準に、好ましくは４％以下、より好ましくは３％以下、最も好ましくは２％以下である。
【００１９】
また本発明は、２-エチルヘキサノールと脂肪酸の脂肪酸エステル混合物であって、２-エチルヘキシル脂肪酸エステルが、脂肪酸エステルの総合計を基準に、以下のＣ鎖分布：
(ａ)Ｃ12が６０％以上；および
(ｂ)Ｃ14が１５〜４０％；
を有する脂肪酸エステル混合物に関する。
本発明の特に好ましい態様において、Ｃ12脂肪酸の２-エチルヘキシル脂肪酸エステルの合計は、脂肪酸エステルの総合計を基準に、６５％以上、特に７０％以上である。
本発明の特に好ましい態様において、Ｃ14脂肪酸の２-エチルヘキシル脂肪酸エステルの合計は、脂肪酸エステルの総合計を基準に、２０〜３５％、好ましくは２５〜３０％である。
【００２０】
本発明の好ましい態様は、２-エチルヘキサノールと脂肪酸の脂肪酸エステル混合物であって、２-エチルヘキシル脂肪酸エステルが、脂肪酸エステルの総合計を基準に、以下のＣ鎖分布：(ａ)Ｃ12が６０％以上；および(ｂ)Ｃ14が１５〜４０％；を有し、１０以下のＣ鎖長を有する２-エチルヘキシル脂肪酸エステルの合計が、３％以下、特に２％以下、好ましくは１％以下である脂肪酸エステル混合物に関する。
本発明の特に好ましい態様において、Ｃ12脂肪酸の２-エチルヘキシル脂肪酸エステルの合計は、脂肪酸エステルの総合計を基準に、６５％以上、特に７０％以上である。
本発明の特に好ましい態様において、Ｃ14脂肪酸の２-エチルヘキシル脂肪酸エステルの合計は、２０〜３５％、好ましくは２５〜３０％である。
【００２１】
本発明の好ましい態様は、２-エチルヘキサノールと脂肪酸の脂肪酸エステル混合物であって、２-エチルヘキシル脂肪酸エステルが、脂肪酸エステルの総合計を基準に、以下のＣ鎖分布：(ａ)Ｃ12が６０％以上；および(ｂ)Ｃ14が１５〜４０％；を有し、１６以上のＣ鎖長を有する２-エチルヘキシル脂肪酸エステルの合計が、８％以下、特に４％以下、好ましくは３％以下、特に２％以下、好ましくは１％以下である脂肪酸エステル混合物に関する。
本発明の特に好ましい態様において、Ｃ12脂肪酸の２-エチルヘキシル脂肪酸エステルの合計は、脂肪酸エステルの総合計を基準に、６５％以上、特に７０％以上である。
本発明の特に好ましい態様において、Ｃ14脂肪酸の２-エチルヘキシル脂肪酸エステルの合計は、２０〜３５％、好ましくは２５〜３０％である。
【００２２】
本発明の特に好ましい態様は、２-エチルヘキサノールと脂肪酸の脂肪酸エステル混合物であって、２-エチルヘキシル脂肪酸エステルが、以下のＣ鎖分布：(ａ)Ｃ12が６０％以上；および(ｂ)Ｃ14が１５〜４０％；を有し、１０以下のＣ鎖長を有する２-エチルヘキシル脂肪酸エステルの合計が、脂肪酸エステルの総合計を基準に、３％以下、特に２％以下、好ましくは１％以下であり、１６以上のＣ鎖長を有する２-エチルヘキシル脂肪酸エステルの合計が、脂肪酸エステルの総合計を基準に、８％以下、特に４％以下、好ましくは３％以下、特に２％以下、好ましくは１％以下である脂肪酸エステル混合物に関する。
本発明の特に好ましい態様において、Ｃ12脂肪酸の２-エチルヘキシル脂肪酸エステルの合計は、脂肪酸エステルの総合計を基準に、６５％以上、特に７０％以上である。
本発明の特に好ましい態様において、Ｃ14脂肪酸の２-エチルヘキシル脂肪酸エステルの合計は、２０〜３５％、好ましくは２５〜３０％である。
【００２３】
製造
本発明の脂肪酸エステル混合物は、当業者に既知の方法によって製造される。脂肪酸エステル混合物を、例えば、２-エチルヘキサノールと脂肪酸混合物とのエステル化によって製造することができ、ここで、この脂肪酸混合物は本発明に係る脂肪酸分布を有し、次いでこれが脂肪酸-２-エチルヘキシルエステル混合物において再現される。また、これらを、２-エチルヘキサノールと脂肪酸メチルエステル混合物とのエステル交換によって製造することもでき、ここで、製造に使用される脂肪酸メチルエステル混合物は、本発明に係る脂肪酸分布を有する。さらに、本発明の脂肪酸エステル混合物を、対応する個々の脂肪酸-２-エチルヘキシルエステルを混合することによって得ることができる。
【００２４】
エステル化またはエステル交換によって得られる生成物の臭気を、脱臭によって所望のように改善することができる。同様に、生成物の色を、当業者に既知の方法による処理によって、所望のように改善することができる。
【００２５】
本発明の脂肪酸-２-エチルヘキシルエステル混合物の製造に適する典型的な脂肪酸混合物または脂肪酸メチルエステル混合物は、例えば、以下のＣ鎖分布を有する：Ｃ6〜Ｃ10脂肪酸の合計が３％未満、Ｃ16脂肪酸が６０〜８０％、Ｃ14脂肪酸が１５〜４０％、Ｃ16脂肪酸が４％以下、＞１６のＣ鎖長を有する脂肪酸の合計が０.５％以下。
【００２６】
本発明のエステル混合物の製造に適する脂肪酸混合物は、EdenorＲ C12 70(Cognis)の名称で市販されており、これは、脂肪酸の総合計を基準に、次の脂肪酸分布を有する：＜１０のＣ鎖長を有する脂肪酸の合計が２％、好ましくは＜１％；Ｃ12脂肪酸が６５〜７７％、好ましくは６８％；Ｃ14脂肪酸が１９〜３４％、好ましくは２８％；Ｃ16脂肪酸が＜４％、特に＜３％。
【００２７】
本明細書において、表現「ＣＸ脂肪酸」は、Ｃ鎖長が「Ｘ」である全てのカルボン酸を包含する。例えば、表現「Ｃ12脂肪酸」は、Ｃ鎖長が１２である全てのカルボン酸を包含する。同じことが、対応して使用される表現「Ｃ-Ｙ脂肪酸-２-エチルヘキシルエステル」に当てはまる。
【００２８】
脂肪族、芳香族、飽和、モノおよびポリ不飽和、直鎖および分岐鎖の脂肪酸が含まれる。本発明の好ましい態様は、上記したＣ鎖長を有する脂肪族直鎖カルボン酸(例えば、Ｃ12脂肪酸としてラウリン酸およびＣ14脂肪酸としてミリスチン酸など)を主に使用する(即ち、通常は特定脂肪酸の＞９０％)ことを特徴とする。
【００２９】
化粧品および／または医薬品調製物
本発明の脂肪酸-２-エチルヘキシルエステル混合物は、安定な化粧品および医薬品エマルジョンの製造を可能にする。
従って、本発明は、化粧品および／または医薬品調製物における本発明の脂肪酸-２-エチルヘキシルエステル混合物の使用、特に油成分としての使用にも関する。本発明の脂肪酸-２-エチルヘキシルエステル混合物は、調製物に依存して、唯一の油成分として、および他の油成分と組合せて使用することができる。
【００３０】
本発明の脂肪酸-２-エチルヘキシルエステル混合物は、化粧品および／または医薬品調製物において、化粧品および／または医薬品調製物の全重量を基準に、１〜９０％の濃度で、好ましくは１〜５０％の濃度で、特に２〜２０％の濃度で使用することができる。適用分野には、例えば、化粧品および／または医薬品のｏ／ｗまたはｗ／ｏケアエマルジョン、日光保護配合物、発汗抑制剤／脱臭剤構想物、美容化粧品のための配合物、油性ケア調製物、基材(例えば、紙および不織布製品など)のための含浸液が含まれる。その例には、濡れ拭き取り製品、ハンカチ、おむつまたは衛生製品が含まれる。
【００３１】
本発明の脂肪酸-２-エチルヘキシルエステル混合物は、特に、噴霧可能な適用分野に、および／または、ティッシュ、紙、拭き取り製品、スポンジ(例えばポリウレタンスポンジ)のため、幼児衛生、幼児ケア、皮膚ケア、日光保護、日焼け後トリートメント、防虫剤、洗浄、顔面洗浄および発汗抑制剤／脱臭剤の分野において使用するためのプラスターのためのケアエマルジョンとして適する。本発明の脂肪酸-２-エチルヘキシルエステル混合物の使用は、適用時の感覚的挙動に陽性の効果を有する。
【００３２】
化粧品および／または医薬品調製物は、例えば、ボディミルク、クリーム、ローション、噴霧可能なエマルジョン、体臭除去用製品などの形態の身体ケア配合物であってよい。また、脂肪酸-２-エチルヘキシルエステル混合物は、界面活性剤含有配合物において、例えば、発泡およびシャワー浴剤、毛髪シャンプーおよびケアリンスなどにおいて使用することもできる。想定する特定の適用分野に依存して、化粧品配合物は、多数の他の助剤および添加剤を含有する。これらは、例えば、界面活性剤、他の油成分、乳化剤、真珠色化ワックス、稠度因子、増粘剤、過脂肪剤、安定剤、ポリマー、脂肪、ワックス、レシチン、リン脂質、生物起源の薬剤、ＵＶ保護因子、酸化防止剤、脱臭剤、発汗抑制剤、ふけ防止剤、皮膜形成剤、膨潤剤、防虫剤、日焼け(セルフ・タンニング)剤、チロシナーゼ阻害剤(脱色剤)、ヒドロトロープ剤、可溶化剤、防腐剤、芳香油、染料などであり、これらを以下において例示のために列挙する。
【００３３】
存在する界面活性物質は、陰イオン性、非イオン性、陽イオン性および／または両性または双性イオン性界面活性剤であってよい。界面活性剤を含有する化粧品調製物(例えば、シャワーゲル、発泡浴剤、シャンプーなど)においては、少なくとも１つの陰イオン性界面活性剤が存在するのが好ましい。この場合、界面活性剤の含有割合は、通常は約１〜３０重量％、好ましくは５〜２５重量％、特に１０〜２０重量％である。
【００３４】
陰イオン性界面活性剤の代表例は、石鹸、アルキルベンゼンスルホネート、アルカンスルホネート、オレフィンスルホネート、アルキルエーテルスルホネート、グリセロールエーテルスルホネート、α-メチルエステルスルホネート、スルホ脂肪酸、アルキルスルフェート、脂肪アルコールエーテルスルフェート、グリセロールエーテルスルフェート、脂肪酸エーテルスルフェート、ヒドロキシ混合エーテルスルフェート、モノグリセリド(エーテル)スルフェート、脂肪酸アミド(エーテル)スルフェート、モノおよびジアルキルスルホスクシネート、モノおよびジアルキルスルホスクシナメート、スルホトリグリセリド、アミド石鹸、エーテルカルボン酸およびその塩、脂肪酸イセチオネート、脂肪酸サルコシネート、脂肪酸タウリド、Ｎ-アシルアミノ酸(例えば、アシルラクチレート、アシルタルトレート、アシルグルタメートおよびアシルアスパルテートなど)、アルキルオリゴグルコシドスルフェート、タンパク質脂肪酸縮合物(特に、コムギに基づく植物生成物)およびアルキル(エーテル)ホスフェートである。陰イオン性界面活性剤がポリグリコールエーテル鎖を含んでいるときには、これらは通常の同族体分布を有していてよいが、好ましくは狭範囲の同族体分布を有する。
【００３５】
非イオン性界面活性剤の代表例は、脂肪アルコールポリグリコールエーテル、アルキルフェノールポリグリコールエーテル、脂肪酸ポリグリコールエステル、脂肪酸アミドポリグリコールエーテル、脂肪アミンポリグリコールエーテル、アルコキシル化トリグリセリド、混合エーテルおよび混合ホルマール、所望により部分酸化されたアルキル(アルケニル)オリゴグリコシドまたはグルクロン酸誘導体、脂肪酸-Ｎ-アルキルグルカミド、タンパク質加水分解物(特に、コムギに基づく植物生成物)、ポリオール脂肪酸エステル、糖エステル、ソルビタンエステル、ポリソルベートおよびアミンオキシドである。非イオン性界面活性剤がポリグリコールエーテル鎖を含んでいるときには、これらは通常の同族体分布を有していてよいが、好ましくは狭範囲の同族体分布を有する。
【００３６】
陽イオン性界面活性剤の代表例は、第四アンモニウム化合物、例えば塩化ジメチルジステアリルアンモニウム、およびエステルクォート(esterquat)、特に第四級化した脂肪酸トリアルカノールアミンエステルの塩である。
【００３７】
両性または双性イオン性界面活性剤の代表例は、アルキルベタイン、アルキルアミドベタイン、アミノプロピオネート、アミノグリシネート、イミダゾリニウムベタインおよびスルホベタインである。これらの界面活性剤は全て既知化合物である。これらの構造および製造に関する情報は、この分野における関連の概説書中に見ることができる。特に適する穏やかな、即ち、特に皮膚適合性の界面活性剤の代表例は、脂肪アルコールポリグリコールエーテルスルフェート、モノグリセリドスルフェート、モノおよび／またはジアルキルスルホスクシネート、脂肪酸イセチオネート、脂肪酸サルコシネート、脂肪酸タウリド、脂肪酸グルタメート、α-オレフィンスルホネート、エーテルカルボン酸、アルキルオリゴグルコシド、脂肪酸グルカミド、アルキルアミドベタイン、アンホアセタールおよび／またはタンパク質脂肪酸縮合物(好ましくはコムギタンパク質に基づく)である。
【００３８】
身体ケア調製物(例えば、クリーム、ローションおよびミルク)は、その感覚特性をさらに最適化するのに寄与する多数の他の油成分および軟化剤を含有するのが普通である。油成分は、通常は０.１〜９０重量％、好ましくは１〜５０重量％、より好ましくは５〜２５重量％、最も好ましくは５〜１５重量％の合計量で存在する。適する他の油成分は、例えば、脂肪アルコール(６〜１８個、好ましくは８〜１０個の炭素原子を含む)に基づくゲルベ(Guerbet)アルコール、直鎖Ｃ6-22脂肪酸と直鎖または分岐鎖Ｃ6-22脂肪アルコールとのエステルまたは分岐鎖Ｃ6-13カルボン酸と直鎖または分岐鎖Ｃ6-22脂肪アルコールとのエステル、例えば、ミリスチン酸ミリスチル、パルミチン酸ミリスチル、ステアリン酸ミリスチル、イソステアリン酸ミリスチル、オレイン酸ミリスチル、ベヘン酸ミリスチル、エルカ酸ミリスチル、ミリスチン酸セチル、パルミチン酸セチル、ステアリン酸セチル、イソステアリン酸セチル、オレイン酸セチル、ベヘン酸セチル、エルカ酸セチル、ミリスチン酸ステアリル、パルミチン酸ステアリル、ステアリン酸ステアリル、イソステアリン酸ステアリル、オレイン酸ステアリル、ベヘン酸ステアリル、エルカ酸ステアリル、ミリスチン酸イソステアリル、パルミチン酸イソステアリル、ステアリン酸イソステアリル、イソステアリン酸イソステアリル、オレイン酸イソステアリル、ベヘン酸イソステアリル、オレイン酸イソステアリル、ミリスチン酸オレイル、パルミチン酸オレイル、ステアリン酸オレイル、イソステアリン酸オレイル、オレイン酸オレイル、ベヘン酸オレイル、エルカ酸オレイル、ミリスチン酸ベヘニル、パルミチン酸ベヘニル、ステアリン酸ベヘニル、イソステアリン酸ベヘニル、オレイン酸ベヘニル、ベヘン酸ベヘニル、エルカ酸ベヘニル、ミリスチン酸エルシル、パルミチン酸エルシル、ステアリン酸エルシル、イソステアリン酸エルシル、オレイン酸エルシル、ベヘン酸エルシルおよびエルカ酸エルシルなどである。
【００３９】
また適するのは、Ｃ18-38アルキルヒドロキシカルボン酸と直鎖または分岐鎖Ｃ6-22脂肪アルコールとのエステル(特にマレイン酸ジオクチル)、直鎖および／または分岐鎖脂肪酸と多価アルコール(例えば、プロピレングリコール、ダイマージオールまたはトリマートリオール)および／またはゲルベアルコールとのエステル、Ｃ6-10脂肪酸に基づくトリグリセリド、Ｃ6-18脂肪酸に基づく液体のモノ、ジおよびトリグリセリド混合物、Ｃ6-22脂肪アルコールおよび／またはゲルベアルコールと芳香族カルボン酸(特に安息香酸)とのエステル、Ｃ2-12ジカルボン酸と直鎖または分岐鎖アルコール(１〜２２個の炭素原子を含む)あるいはポリオール(２〜１０個の炭素原子と２〜６個のヒドロキシル基を含む)とのエステル、植物油、分岐鎖第一アルコール、置換シクロヘキサン、直鎖および分岐鎖Ｃ6-22脂肪アルコールカーボネート、例えばジカプリリルカーボネート(CetiolＲ CC)、例えば、ゲルベカーボネート(Ｃ6-18、好ましくはＣ8-10脂肪アルコールに基づく)、安息香酸と直鎖および／または分岐鎖Ｃ6-22アルコールとのエステル(例えばFinsolvＲ TN)、直鎖または分岐鎖の対称または非対称のジアルキルエーテル(アルキル基あたりに６〜２２個の炭素原子を含む)、例えばジカプリリルエーテル(CetiolＲ OE)、例えばエポキシ化脂肪酸エステルのポリオールによる開環生成物である。
【００４０】
脂肪およびワックスは、ケア成分として、および化粧品調製物の稠度を増大させるために、身体ケア製品に添加される。脂肪の代表例は、グリセリド、即ち固体の植物または動物生成物であり、これは本質的に高級脂肪酸の混合グリセロールエステルからなる。脂肪酸の部分グリセリド、即ち、グリセロールとＣ12-18脂肪酸との工業用モノおよび／またはジエステル、例えば、グリセロールのモノ／ジラウレート、パルミテートまたはステアレートなどを、この目的に使用することもできる。適するワックスは、特に天然ワックス、例えば、カンデリラワックス、カルナバワックス、木ろう、アフリカハネガヤワックス、コルクワックス、グアルマワックス、ぬか油ワックス、シュガーコーンワックス、オウリキュリーワックス、モンタンワックス、蜜ろう、シェラックワックス、鯨ろう、ラノリン(羊毛ワックス)、尾羽脂肪、セレシン、オゾケライト(地ろう)、ペトロラタム、パラフィンワックスおよびミクロワックスなど；化学修飾したワックス(硬ワックス)、例えば、モンタンエステルワックス、サソールワックス、水素化ホホバワックスなど；および合成ワックス、例えば、ポリアルキレンワックスおよびポリエチレングリコールワックスなどである。脂肪以外の他の適する添加剤は、脂肪様の物質、例えばレシチンおよびリン脂質である。天然レシチンの例はケファリンであり、これは、ホスファチジン酸としても知られる、１,２-ジアシル-ｓｎ-グリセロール-３-リン酸の誘導体である。対照的に、リン脂質は、一般に、リン酸とグリセロールとのモノエステル、好ましくはジエステル(グリセロホスフェート)であると解され、これは通常は脂肪として分類される。スフィンゴシンおよびスフィンゴ脂質も適している。
【００４１】
適する増粘剤は、例えば、Aerosil型(親水性シリカ)、多糖、特にキサンタンゴム、グアー、寒天、アルギン酸塩およびチロース、カルボキシメチルセルロースおよびヒドロキシエチルおよびヒドロキシプロピルセルロース、ポリビニルアルコール、ポリビニルピロリドンおよびベントナイト、例えば、BentoneＲ Gel VS-5PC (Rheox)などである。
【００４２】
本発明におけるＵＶ保護因子は、例えば、室温で液体または結晶性であり、紫外線放射を吸収し、吸収したエネルギーを長波長放射(例えば熱)の形態で放出することができる有機物質(光フィルター)である。ＵＶ-Ｂフィルターは、油溶性または水溶性であることができる。
【００４３】
油溶性物質の例を以下に挙げる：
・３-ベンジリデンカンファーまたは３-ベンジリデンノルカンファーおよびこれらの誘導体、例えば３-(４-メチルベンジリデン)-カンファー(欧州特許ＥＰ０６９３４７１Ｂ１に記載)；
・４-アミノ安息香酸誘導体、好ましくは４-(ジメチルアミノ)-安息香酸-２-エチルヘキシルエステル、４-(ジメチルアミノ)-安息香酸-２-オクチルエステルおよび４-(ジメチルアミノ)-安息香酸アミルエステル；
・桂皮酸のエステル、好ましくは４-メトキシ桂皮酸-２-エチルヘキシルエステル、４-メトキシ桂皮酸プロピルエステル、４-メトキシ桂皮酸イソアミルエステル、２-シアノ-３,３-フェニル桂皮酸-２-エチルヘキシルエステル(Octocrylene)；
・サリチル酸のエステル、好ましくはサリチル酸-２-エチルヘキシルエステル、サリチル酸-４-イソプロピルベンジルエステル、サリチル酸ホモメンチルエステル；
・ベンゾフェノンの誘導体、好ましくは２-ヒドロキシ-４-メトキシベンゾフェノン、２-ヒドロキシ-４-メトキシ-４'-メチルベンゾフェノン、２,２'-ジヒドロキシ-４-メトキシンゾフェノン；
・ベンザルマロン酸のエステル、好ましくは４-メトキシベンザルマロン酸ジ-２-エチルヘキシルエステル；
・トリアジン誘導体、例えば、２,４,６-トリアニリノ-(ｐ-カルボ-２'-エチル-１'-ヘキシルオキシ)-１,３,５-トリアジンおよびオクチルトリアゾン(欧州特許出願公開ＥＰ０８１８４５０Ａ１に記載)、またはジオクチルブタミドトリアゾン(UvasorbＲ HEB)；
・プロパン-１,３-ジオン、例えば、１-(４-tert-ブチルフェニル)-３-(４'-メトキシフェニル)-プロパン-１,３-ジオン；
・ケトトリシクロ(５.２.１.０)デカン誘導体(欧州特許ＥＰ０６９４５２１Ｂ１に記載)。
【００４４】
適する水溶性物質を以下に挙げる：
・２-フェニルベンズイミダゾール-５-スルホン酸ならびにそのアルカリ金属、アルカリ土類金属、アンモニウム、アルキルアンモニウム、アルカノールアンモニウムおよびグルクアンモニウム塩；
・ベンゾフェノンのスルホン酸誘導体、好ましくは２-ヒドロキシ-４-メトキシベンゾフェノン-５-スルホン酸およびその塩；
・３-ベンジリデンカンファーのスルホン酸誘導体、例えば、４-(２-オキソ-３-ボルニリデンメチル)-ベンゼンスルホン酸および２-メチル-５-(２-オキソ-３-ボルニリデン)スルホン酸およびこれらの塩。
【００４５】
典型的なＵＶ-Ａフィルターは、特に、ベンゾイルメタンの誘導体、例えば、１-(４'-tert-ブチルフェニル)-３-(４'-メトキシフェニル)-プロパン-１,３-ジオン、４-tert-ブチル-４'-メトキシジベンゾイルメタン(ParsolＲ 1789)または１-フェニル-３-(４'-イソプロピルフェニル)-プロパン-１,３-ジオンおよび独国特許出願公開ＤＥ１９７１２０３３Ａ１(BASF)に記載されているエナミン化合物である。ＵＶ-ＡおよびＵＶ-Ｂフィルターを、混合物の形態で使用しうることは勿論である。特に好ましい組合せは、ベンゾイルメタンの誘導体、例えば４-tert-ブチル-４'-メトキシジベンゾイルメタン(ParsolＲ 1789)および２-シアノ-３,３-フェニル桂皮酸-２-エチルヘキシルエステル(Octocrylene)(桂皮酸のエステル、好ましくは４-メトキシ桂皮酸-２-エチルヘキシルエステルおよび／または４-メトキシ桂皮酸プロピルエステルおよび／または４-メトキシ桂皮酸イソアミルエステルと組合せる)からなる。このような組合せは、水溶性フィルター、例えば、２-フェニルベンズイミダゾール-５-スルホン酸ならびにそのアルカリ金属、アルカリ土類金属、アンモニウム、アルキルアンモニウム、アルカノールアンモニウムおよびグルクアンモニウム塩と組合せるのが有利である。
【００４６】
特に適する広スペクトルの日光フィルターは、２,２'-メチレン-ビス-[４-(１,１,３,３-テトラメチルブチル)-６-(２Ｈ-ベンゾトリアゾール-２-イル)-フェノール](Tinosorb M)およびフェノール、２,２'-[６-(４-メトキシフェニル)-１,３,５-トリアジン-２,４-ジイル]-ビス-[５-[(２-エチルヘキシル)-オキシ]-(Tinosorb M)である。
【００４７】
上記した可溶性物質の他に、不溶性の光ブロック顔料、即ち、微細分散した金属酸化物または金属塩を、この目的に使用することもできる。適する金属酸化物の例は、特に、酸化亜鉛および二酸化チタン、さらに、鉄、ジルコニウム、ケイ素、マンガン、アルミニウムおよびセリウムの酸化物、ならびにこれらの混合物である。ケイ酸塩(タルカム)、硫酸バリウムおよびステアリン酸亜鉛を、塩として使用することもできる。これらの酸化物および塩を、皮膚ケアおよび皮膚保護エマルジョンおよび美容化粧品のための顔料の形態で使用する。粒子は、平均直径が１００ｎｍ未満、好ましくは５〜５０ｎｍ、より好ましくは１５〜３０ｎｍであるべきである。これらは、形状が球であってよいが、楕円形粒子または他の非球形粒子を使用することもできる。また、これらの顔料は、表面処理されていてもよい。即ち、これらは親水性化または疎水性化されていてもよい。その代表例は、被覆された二酸化チタン、例えば、Titandioxid T 805(Degussa)およびEusolexＲ T2000(Merck)である。適する疎水性被覆材料は、特にシリコーンであり、これらの中で特にトリアルコキシオクチルシランまたはシメチコーンである。いわゆるミクロ顔料またはナノ顔料を、日光保護製品において使用するのが好ましい。ミクロ化した酸化亜鉛を使用するのが好ましい。他の適するＵＶ保護因子は、P.Finkelの概説[SOEFW-Journal 122、543 (1996)およびParf.Kosm. 3、11 (1999)]に挙げられている。
【００４８】
上記した２群の一次日光保護因子の他に、酸化防止剤型の二次日光保護因子を使用することもできる。酸化防止剤型の二次日光保護因子は、ＵＶ線が皮膚に貫通したときに開始される光化学反応連鎖を遮断する。その代表例は、以下の通りである：アミノ酸(例えば、グリシン、ヒスチジン、チロシン、トリプトファン)およびその誘導体、イミダゾール(例えばウロカニン酸)およびその誘導体、ペプチド、例えばＤ,Ｌ-カルノシン、Ｄ-カルノシン、Ｌ-カルノシンおよびその誘導体(例えばアンセリン)、カロチノイド、カロテン(例えば、α-カロテン、β-カロテン、リコペン)およびその誘導体、クロロゲン酸およびその誘導体、リポン酸およびその誘導体(例えばジヒドロリポン酸)、アウロチオグルコース、プロピルチオウラシルおよび他のチオール(例えば、チオレドキシン、グルタチオン、システイン、シスチン、シスタミンならびにこれらのグリコシル、Ｎ-アセチル、メチル、エチル、プロピル、アミル、ブチルおよびラウリル、パルミトイル、オレイル、γ-リノレイル、コレステリルおよびグリセリルエステル)およびこれらの塩、ジラウリルチオジプロピオネート、ジステアリルチオジプロピオネート、チオジプロピオン酸およびこれらの誘導体(エステル、エーテル、ペプチド、脂質、ヌクレオチド、ヌクレオシドおよび塩)およびスルホキシミン化合物(例えば、ブチオニンスルホキシミン、ホモシステインスルホキシミン、ブチオニンスルホン、ペンタ-、ヘキサ-およびヘプタ-チオニンスルホキシミン)(非常に少ない適合用量で、例えばｐモル〜ｍモル／ｋｇ)、さらに(金属)キレート剤(例えば、α-ヒドロキシ脂肪酸、パルミチン酸、フィチン酸、ラクトフェリン)、α-ヒドロキシ酸(例えば、クエン酸、乳酸、リンゴ酸)、フミン酸、胆汁酸、胆汁抽出物、ビリルビン、ビリベルジン、ＥＤＴＡ、ＥＧＴＡおよびこれらの誘導体、不飽和脂肪酸およびその誘導体(例えば、γ-リノレン酸、リノール酸、オレイン酸)、葉酸およびその誘導体、ユビキノンおよびユビキノールおよびこれらの誘導体、ビタミンＣおよびその誘導体(例えば、パルミチン酸アスコルビル、リン酸アスコルビルＭｇ、酢酸アスコルビル)、トコフェロールおよびその誘導体(例えばビタミンＥアセテート)、ビタミンＡおよびその誘導体(ビタミンＡパルミテート)およびベンゾイン樹脂の安息香酸コニフェリル、ルチン酸およびその誘導体、α-グリコシルルチン、フェルラ酸、フルフリリデングルシトール、カルノシン、ブチルヒドロキシトルエン、ブチルヒドロキシアニソール、ノルジヒドログアヤク樹脂酸、ノルジヒドログアヤレチン酸、トリヒドロキシブチロフェノン、尿酸およびその誘導体、マンノースおよびその誘導体、スーパーオキシドジスムターゼ、亜鉛およびその誘導体(例えば、ＺｎＯ、ＺｎＳＯ4)、セレンおよびその誘導体(例えばセレンメチオニン)、スチルベンおよびその誘導体(例えば、酸化スチルベン、トランス-酸化スチルベン)ならびに本発明の目的に適するこれら活性物質の誘導体(塩、エステル、エーテル、糖、ヌクレオチド、ヌクレオシド、ペプチドおよび脂質)。
【００４９】
本発明において、生物起源の薬剤とは、例えば、トコフェロール、酢酸トコフェロール、パルミチン酸トコフェロール、アスコルビン酸、(デオキシ)リボ核酸およびその断片化生成物、β-グルカン、レチノール、ビサボロール、アラントイン、フィタントリオール、パンテノール、ＡＨＡ酸、アミノ酸、セラミド、擬似セラミド、精油、植物抽出物、例えばプルーナス抽出物、バンバラナッツ抽出物、およびビタミン複合体である。
【００５０】
脱臭剤は、体臭を相殺するか、隠蔽するか、または除去する。体臭は、アポクリン発汗における皮膚細菌の作用によって生成し、これにより、不快臭の分解産物が生成する結果になる。従って、適する脱臭剤は、特に、微生物阻害剤、酵素阻害剤、臭気吸収剤または臭気隠蔽剤である。
【００５１】
適する防虫剤は、例えば、Ｎ,Ｎ-ジエチル-ｍ-トルアミド、ペンタン-１,２-ジオールまたは３-(Ｎ-ｎ-ブチル-Ｎ-アセチルアミノ)-プロピオン酸エチルエステル(Merck KGaAからInsect RepellentＲ 3535として市販されている)、およびブチルアセチルアミノプロピオネートである。
【００５２】
適する日焼け剤はジヒドロキシアセトンである。適するチロシン阻害剤(メラニンの生成を妨げ、脱色剤において使用される)は、例えば、アルブチン、フェルラ酸、コージ酸、クマル酸およびアスコルビン酸(ビタミンＣ)である。
【００５３】
適する防腐剤は、例えば、フェノキシエタノール、ホルムアルデヒド溶液、パラベン、ペンタンジオールまたはソルビン酸および銀錯体(SurfacineＲの名称で知られる)ならびにKosmetikverordnung(「化粧品指針」)の付属書６のパートＡおよびＢに挙げられている他の群の化合物である。
【００５４】
適する芳香油は、天然および合成の芳香物質の混合物である。天然の芳香物質には、花、茎および葉、果実、果皮、根、木、ハーブおよび草、針葉および枝、樹脂およびバルサムの抽出物が含まれる。また、動物原料、例えばジャコウおよびビーバー、ならびに、エステル、エーテル、アルデヒド、ケトン、アルコールおよび炭化水素型の合成の芳香化合物も適している。
【００５５】
特に界面活性剤含有配合物において使用するのに適する真珠色化ワックスは、例えば、アルキレングリコールエステル、特にエチレングリコールジステアレート；脂肪酸アルカノールアミド、特にヤシ油脂肪酸ジエタノールアミド；部分グリセリド、特にステアリン酸モノグリセリド；多塩基性の所望によりヒドロキシ置換されたカルボン酸と脂肪アルコール(６〜２２個の炭素原子を含む)とのエステル、特に酒石酸の長鎖エステル；脂肪化合物、例えば、脂肪アルコール、脂肪ケトン、脂肪アルデヒド、脂肪エーテルおよび脂肪カーボネートなど(合計して少なくとも２４個の炭素原子を含む)、特にラウロンおよびジステアリルエーテル；脂肪酸、例えば、ステアリン酸、ヒドロキシステアリン酸またはベヘン酸、脂肪アルコール(１２〜２２個の炭素原子を含む)および／またはポリオール(２〜１５個の炭素原子および２〜１０個のヒドロキシル基を含む)によるオレフィンエポキシド(１２〜２２個の炭素原子を含む)の開環生成物ならびにこれらの混合物である。
【００５６】
過脂肪剤は、例えば、ラノリンおよびレシチン、さらにはポリエトキシル化またはアシル化したラノリンおよびレシチン誘導体、ポリオール脂肪酸エステル、モノグリセリドおよび脂肪酸アルカノールアミド(この脂肪酸アルカノールアミドは気泡安定剤としても働く)などの物質から選択することができる。
【００５７】
脂肪酸の金属塩、例えば、ステアリン酸またはリシノール酸のマグネシウム、アルミニウムおよび／または亜鉛塩などを安定剤として使用することができる。
【００５８】
さらに、ヒドロトロープ剤(例えば、エタノール、イソプロピルアルコールまたはポリオール)を使用して、流れ挙動を改善することができる。適するポリオールは、好ましくは２〜１５個の炭素原子および少なくとも２個のヒドロキシル基を含む。ポリオールは、他の官能基(特にアミノ基)を含むことができるか、または窒素で修飾されていてもよい。
【実施例】
【００５９】
実施例Ａ：本発明に従う製造
１３００ｇの２-エチルヘキサノールおよび１７５０ｇの脂肪酸混合物(EdenorＲ Ｃ12が７０％、Cognis；次の脂肪酸分布を有する：Ｃ10＜／＝２％、Ｃ12が６５〜７７％、Ｃ14が１９〜３４％、Ｃ16＜／＝４％)を、常圧下、色抑制剤(０.４１ｇの次亜リン酸)および触媒[０.２５ｇの酸化スズ(II)]の存在下に反応容器に入れた。この混合物を、窒素下に２４５℃まで加熱した。酸価が１０以下に低下したときに、３００ｍバールの真空にした。酸価が１.５以下に低下したときに、相分離器をバイパスに設けた。酸価が１以下に低下したときに、過剰の２-エチルヘキサノールを留去した(約５ｍバールで)。
精製容器において、触媒を、リン酸[酸化スズ(II)の量の７５％]および２００Ｌの水を用いて沈殿させた。乾燥を、８５℃／約５〜５０ｍバールで行った。
【００６０】
比較例Ｂ
市販製品 CrodamolＲ OC (Croda)を比較に使用した。以下の表は、本発明に従う実施例ＡおよびＣならびに比較例Ｂ(＝エチルヘキシル脂肪酸エステル、ＩＮＣＩ：エチルヘキシル ココエート、Croda)のＣ鎖分布を示す。
【表１】
2009507971.tif 000002
【００６１】
実施例１：感覚的評価
本発明に従う実施例Ａの感覚的評価を、比較例Ｂおよびパルミチン酸イソプロピル(典型的な化粧品油成分)に対して行った。
１２人の専門家の審査員が感覚的評価を行った。彼等は、皮膚の最終的な感触に基づいて、次の５つの基準を審査した：１-拡散性、２-陰性の感覚的印象、３-粘着性、４-柔軟性、５-ケア感触。これらの基準を、評点１(劣る)〜７(良い)で評価した。
【表２】
2009507971.tif 000003
本発明に従う実施例Ａは、先行技術のものと比較して良好な柔軟性および良好なケア感触を、非常に良好な拡散特性および好ましい感覚特性(特に最小の粘着性)と併せて示す。
【００６２】
実施例２：化粧品配合物における感覚的評価
以下の化粧品エマルジョンを、感覚パラメーターの評価のために調製した。
【表３】
2009507971.tif 000004
全ての量は重量％である。EmulgadeＲ SE-PFおよび特定の油成分を７５℃で溶融した。CosmediaＲ SPを均一に撹拌しながら加えた。水およびグリセリンを、７５℃で油相に加え、均一に撹拌し、次いで冷却した。均一化工程を、適当な回転子／固定子系を用いて約５５℃で行った。防腐剤を、その温度感受性に依存して７５℃または４０℃で加えた。
【００６３】
感覚的評価を、上記のようにして行った。
【表４】
2009507971.tif 000005
【００６４】
化粧品調製物：噴霧および拭き取り適用のため、ならびにＡＰ／Ｄｅｏ(発汗抑制／脱臭)構想物のための配合物
配合物１〜２６は、本発明の油成分、特に製造実施例Ａの油成分に基づく安定な配合物を表し、これらは、特に、噴霧可能な適用分野に、および／または、ティッシュ、紙、拭き取り製品、スポンジ(例えばポリウレタンスポンジ)のため、幼児衛生、幼児ケア、皮膚ケア、日光保護、日焼け後トリートメント、防虫剤、洗浄、顔面洗浄および発汗抑制剤／脱臭剤の分野において使用するためのプラスターのためのケアエマルジョンとして適する。本発明の油成分を使用することにより、適用時の感覚的挙動が陽性の影響を受ける。示した量は、全組成物中の市販物質の重量％に基づく。
【００６５】
【表５】
2009507971.tif 000006
【００６６】
【表６】
2009507971.tif 000007
【００６７】
【表７】
2009507971.tif 000008
【００６８】
ｏ／ｗエマルジョン型の日光保護配合物を表８に挙げ、ケアエマルジョンを表９に挙げる。本発明の油成分を使用することにより、適用時の感覚的挙動が陽性の影響を受ける。示した量は、全組成物中の市販物質の重量％に基づく。
【表８−１】
2009507971.tif 000009
【００６９】
【表８−２】
2009507971.tif 000010
【００７０】
【表９−１】
2009507971.tif 000011
【００７１】
【表９−２】
2009507971.tif 000012
【００７２】
油中水型の日光保護および皮膚ケア配合物
ｗ／ｏエマルジョン型の日光保護配合物を表１０に挙げ、ケアエマルジョンを表１１に挙げる。本発明の油成分を使用することにより、適用時の感覚的挙動が陽性の影響を受ける。示した量は、全組成物中の市販物質の重量％に基づく。
【表１０】
2009507971.tif 000013
【００７３】
【表１１−１】
2009507971.tif 000014
【００７４】
【表１１−２】
2009507971.tif 000015
【００７５】
追記：
(１)AbilＲ EM 90
ＩＮＣＩ：セチル ジメチコーン コポリオール
製造元：Tego Cosmetics (Goldschmidt)
(２)AllianzＲ OPT
ＩＮＣＩ：アクリレート／Ｃ12-22 アルキル メタクリレート コポリマー
製造元：Rohm und Haas
(３)AmphisolＲ K
ＩＮＣＩ：カリウム セチル ホスフェート
製造元：Hoffmann La Roche
(４)AntaronＲ V 220
ＩＮＣＩ：ＰＶＰ／エイコセン コポリマー
製造元：GAF General Aniline Firm Corp. (IPS-Global)
(５)AntaronＲ V 216
ＩＮＣＩ：ＰＶＰ／ヘキサデセン コポリマー
製造元：GAF General Aniline Firm Corp. (IPS-Global)
(６)ArlacelＲ 83
ＩＮＣＩ：ソルビタン セスキオレエート
製造元：Uniqema (ICI Surfacants)
(７)ArlacelＲ P 135
ＩＮＣＩ：PEG-30 ジポリヒドロキシステアレート
製造元：Uniqema (ICI Surfacants)
(８)BentoneＲ 38
ＩＮＣＩ：Quaternium-18 ヘクトライト
製造元：Rheox (Elementis Specialties)
(９)CarbopolＲ 980
ＩＮＣＩ：カルボマー
製造元：Goodrich
(１０)CarbopolＲ 2984
ＩＮＣＩ：カルボマー
製造元：Noveon, Inc.
【００７６】
(１１)CarbopolＲ ETD 2001
ＩＮＣＩ：カルボマー
製造元：Noveon, Inc.
(１２)CarbopolＲ Ultrez 10
ＩＮＣＩ：カルボマー
製造元：Noveon, Inc.
(１３)CegesoftＲ C 17
ＩＮＣＩ：ミリスチル ラクテート
製造元：Cognis Deutschland GmbH, Gruenau
(１４)CegesoftＲ PFO
ＩＮＣＩ：Passiflora Incarnata (EU)
製造元：Cognis Deutschland GmbH
(１５)CegesoftＲ PS 6
ＩＮＣＩ：Olus
製造元：Cognis Deutschland GmbH
(１６)CeraphylＲ 45
ＩＮＣＩ：ジエチルヘキシル マレート
製造元：International Specialty Products
(１７)CetiolＲ 868
ＩＮＣＩ：エチルヘキシル ステアレート
製造元：Cognis Deutschland GmbH
(１８)CetiolＲ A
ＩＮＣＩ：ヘキシル ラウレート
製造元：Cognis Deutschland GmbH
(１９)CetiolＲ B
ＩＮＣＩ：ジブチル アジペート
製造元：Cognis Deutschland GmbH
(２０)CetiolＲ CC
ＩＮＣＩ：ジカプリリル カーボネート
製造元：Cognis Deutschland GmbH
【００７７】
(２１)CetiolＲ J 600
ＩＮＣＩ：オレイル エルケート
製造元：Cognis Deutschland GmbH
(２２)CetiolＲ LC
ＩＮＣＩ：ココ-カプリレート／カプレート
製造元：Cognis Deutschland GmbH
(２３)CetiolＲ OE
ＩＮＣＩ：ジカプリリル エーテル
製造元：Cognis Deutschland GmbH
(２４)CetiolＲ PGL
ＩＮＣＩ：ヘキシルデカノール、ヘキシルデシル ラウレート
製造元：Cognis Deutschland GmbH
(２５)CetiolＲ S
ＩＮＣＩ：ジエチルヘキシルシクロヘキサン
製造元：Cognis Deutschland GmbH
(２６)CetiolＲ SB 45
ＩＮＣＩ：Shea Butter Butyrospermum Parkii (Linne)
製造元：Cognis Deutschland GmbH
(２７)CetiolＲ SN
ＩＮＣＩ：セテアリル イソノナノエート
製造元：Cognis Deutschland GmbH
(２８)CopherolＲ F 1300 C
ＩＮＣＩ：トコフェロール
製造元：Cognis Deutschland GmbH
(２９)Copherol 1250 C
ＩＮＣＩ：トコフェリル アセテート
製造元：Cognis Deutschland GmbH
(３０)CosmediaＲ DC
ＩＮＣＩ：水素化 ダイマー ジリノレイル／ジメチルカーボネート コポリマー
製造元：Cognis Deutschland GmbH
【００７８】
(３１)CosmediaＲ SP
ＩＮＣＩ：ナトリウム ポリアクリレート
製造元：Cognis Deutschland GmbH
(３２)CutinaＲ E 24
ＩＮＣＩ：PEG-20 グリセリル ステアレート
製造元：Cognis Deutschland GmbH
(３３)CutinaＲ HR
ＩＮＣＩ：水素化 ヒマシ油
製造元：Cognis Deutschland GmbH
(３４)CutinaＲ MD
ＩＮＣＩ：グリセリル ステアレート
製造元：Cognis Deutschland GmbH
(３５)CuitinaＲ PES
ＩＮＣＩ：ペンタエリトリチル ジステアレート
製造元：Cognis Deutschland GmbH
(３６)DehymulsＲ FCE
ＩＮＣＩ：ジココイル ペンタエリトリチル ジステアリル シトレート
製造元：Cognis Deutschland GmbH
(３７)DehymulsＲ HRE 7
ＩＮＣＩ：PEG-7 水素化 ヒマシ油
製造元：Cognis Deutschland GmbH
(３８)DehymulsＲ PGPH
ＩＮＣＩ：Polyglyceryl-2 ジポリヒドロキシステアレート
製造元：Cognis Deutschland GmbH
(３９)Dow CorningＲ 244 Fluid
ＩＮＣＩ：シクロメチコーン
製造元：Dow Corning
(４０)Dow CorningＲ 246 Fluid
ＩＮＣＩ：シクロペンタシロキサン
製造元：Dow Corning
【００７９】
(４１)Dow CorningＲ 2502
ＩＮＣＩ：セチル ジメチコーン
製造元：Dow Corning
(４２)DryＲ Flo Plus
ＩＮＣＩ：アルミニウム デンプン オクテニルスクシネート
製造元：National Starch
(４３)ElfacosＲ ST 37
ＩＮＣＩ：PEG-22 ドデシル グリコール コポリマー
製造元：Akzo-Nobel
(４４)ElfacosＲ ST 9
ＩＮＣＩ：PEG-45 ドデシル グリコール コポリマー
製造元：Akzo-Nobel
(４５)EmeryＲ 1780
ＩＮＣＩ：ラノリン アルコール
製造元：Cognis Corporation (Emery)
(４６)EmulgadeＲ CM
ＩＮＣＩ：セテアリル イソノナノエート および Ceteareth-20 および セテアリル アルコール および グリセリル ステアレート および グリセリン および Ceteareth-12 および セチル パルミテート
製造元：Cognis Deutschland GmbH
(４７)EmulgadeＲ PL 68/50
ＩＮＣＩ：セテアリル グルコシド、セテアリル アルコール
製造元：Cognis Deutschland GmbH
(４８)EmulgadeＲ SE-PF
ＩＮＣＩ：グリセリル ステアレート (および) Ceteareth-20 (および) Ceteareth-12 (および) セテアリル アルコール (および) セチル パルミテート
製造元：Cognis Deutschland GmbH
(４９)EumulginＲ B1
ＩＮＣＩ：Ceteareth-12
製造元：Cognis Deutschland GmbH
(５０)EumulginＲ B 2
ＩＮＣＩ：Ceteareth-20
製造元：Cognis Deutschland GmbH
【００８０】
(５１)EumulginＲ HRE 40
ＩＮＣＩ：PEG-40 水素化 ヒマシ油
製造元：Cognis Deutschland GmbH
(５２)EumulginＲ SG
ＩＮＣＩ：ナトリウム ステアロイル グルタメート
製造元：Cognis Deutschland GmbH
(５３)EumulginＲ VL 75
ＩＮＣＩ：ラウリル グルコシド (および) Polyglyceryl-2 ジポリヒドロキシステアレート (および) グリセリン
製造元：Cognis Deutschland GmbH
(５４)EusolexＲ OCR
ＩＮＣＩ：Octocrylene
製造元：Merck
(５５)EusolexＲ T 2000
ＩＮＣＩ：二酸化チタン、アルミナ、シメチコーン
製造元：Merck
(５６)EusolexＲ T AQUA
ＩＮＣＩ：水 および 二酸化チタン および アルミナ および ナトリウム メタホスフェート および フェノキシエタノール および ナトリウム メチルパラベン
製造元：Merck
(５７)EutanolＲ G
ＩＮＣＩ：オクチルドデカノール
製造元：Cognis Deutschland GmbH
(５８)EutanolＲ G 16
ＩＮＣＩ：ヘキシルデカノール
製造元：Cognis Deutschland GmbH
(５９)EutanolＲ G 16 S
ＩＮＣＩ：ヘキシルデシル ステアレート
製造元：Cognis Deutschland GmbH
(６０)FinsolvＲ TN
ＩＮＣＩ：Ｃ12/15 アルキル ベンゾエート
製造元：Findex (Nordmann/Rassmann)
【００８１】
(６１)GenerolＲ R
ＩＮＣＩ：Brassica Campestris (Rapseed) ステロール
製造元：Cognis Deutschland GmbH
(６２)GlucateＲ DO
ＩＮＣＩ：メチル グルコース ジオレエート
製造元：NRC Nordmann/Rassmann
(６３)HispagelＲ 200
ＩＮＣＩ：グリセリン、グリセリル ポリアクリレート
製造元：Cognis Deutschland GmbH
(６４)HostaphatＲ KL 340 N
ＩＮＣＩ：Trilaureth-4 ホスフェート
製造元：Clariant
(６５)HydagenＲ C.A.T.
ＩＮＣＩ：トリエチル シトレート
製造元：Cognis Deutschland GmbH
(６６)HydagenＲ DCMF
ＩＮＣＩ：キトサン
製造元：Cognis Deutschland GmbH
(６７)Insect RepellentＲ 3535
ＩＮＣＩ：エチル ブチルアセチルアミノプロピオネート
製造元：EMD Chemicals Inc.
(６８)IsolanＲ PDI
ＩＮＣＩ：ジイソステアロイル Polyglyceryl-3 ジイソステアレート
製造元：Goldschmidt AG
(６９)KeltrolＲ T
ＩＮＣＩ：キサンタンゴム
製造元：CP Kelco
(７０)LameformＲ TGI
ＩＮＣＩ：Polyglyceryl-3 ジイソステアレート
製造元：Cognis Deutschland GmbH
【００８２】
(７１)LanetteＲ 14
ＩＮＣＩ：ミリスチル アルコール
製造元：Cognis Deutschland GmbH
(７２)Lanette 18
ＩＮＣＩ：ステアリル アルコール
製造元：Cognis Deutschland GmbH
(７３)LanetteＲ 22
ＩＮＣＩ：ベヘニル アルコール
製造元：Cognis Deutschland GmbH
(７４)LanetteＲ E
ＩＮＣＩ：ナトリウム セテアリル スルフェート
製造元：Cognis Deutschland GmbH
(７５)LanetteＲ O
ＩＮＣＩ：セテアリル アルコール
製造元：Cognis Deutschland GmbH
(７６)LocronＲ L
ＩＮＣＩ：アルミニウム クロロヒドレート
製造元：Clariant
(７７)LucentiteＲ SAN
ＩＮＣＩ：Quaternium-18 Hectoritr
製造元：Co-Op Chemical Co., Ltd.
(７８)MonomulsＲ 90-O 18
ＩＮＣＩ：グリセリル オレエート
製造元：Cognis Deutschland GmbH
(７９)MyrjＲ 51
ＩＮＣＩ：PEG-30-Sterate
製造元：Uniqema
(８０)MyritolＲ 312
ＩＮＣＩ：カプリル／カプリン トリグリセリド
製造元：Cognis Deutschland GmbH
【００８３】
(８１)MyritolＲ 331
ＩＮＣＩ：ココグリセリド
製造元：Cognis Deutschland GmbH
(８２)MyritolＲ PC
ＩＮＣＩ：プロピレン グリコール ジカプリレート／ジカプレート
製造元：Cognis Deutschland GmbH
(８３)Neo HeliopanＲ 303
ＩＮＣＩ：Octocrylene
製造元：Symrise
(８４)Neo HeliopanＲ AP
ＩＮＣＩ：ジナトリウム フェニル ジベンズイミダゾール テトラスルホネート
製造元：Symrise
(８５)Neo HeliopaＲ AV
ＩＮＣＩ：エチルヘキシル メトキシシンナメート
製造元：Symrise
(８６)Neo HeliopanＲ BB
ＩＮＣＩ：Benzophenone-3
製造元：Symrise
(８７)Neo HeliopanＲ E 1000
ＩＮＣＩ：イソアミル-ｐ-メトキシシンナメート
製造元：Symrise
【００８４】
(８１)Neo HeliopanＲ Hydro
ＩＮＣＩ：フェニルベンズイミダゾール スルホン酸
製造元：Symrise
(８２)Neo HeliopanＲ MBC
ＩＮＣＩ：４-メチルベンジリデン カンファー
製造元：Symrise
(８３)Neo HeliopanＲ OS
ＩＮＣＩ：エチルヘキシル サリチレート
製造元：Symrise
(８４)NovataＲ AB
ＩＮＣＩ：ココグリセリド
製造元：Cognis Deutschland GmbH
(８５)ParsolＲ 1789
ＩＮＣＩ：ブチル メトキシジベンゾイルメタン
製造元：Hoffmann-La Roche (Givaudan)
(８６)PemulenＲ TR-2 ポリマー
ＩＮＣＩ：アクリレート／Ｃ10-30 アルキルアクリレート 架橋ポリマー
製造元：Noveon, Inc.
(８７)PhotonylＲ LS
ＩＮＣＩ：アルギニン、ジナトリウム アデノシン トリホスフェート、マンニトール、ピリドキシン ＨＣＬ、フェニルアラニン、チロシン
製造元：Laboratoires Serobiologiques (Cognis)
(８８)PrisorineＲ 3505
ＩＮＣＩ：イソステアリン酸
製造元：Uniqema
(８９)PrisorineＲ 3758
ＩＮＣＩ：水素化 ポリイソブテン
製造元：Uniqema
(９０)Rezal 36G
ＩＮＣＩ：アルミニウム ジルコニウム Tetrachlorohydrex GLY
製造元：Reheis, Inc
【００８５】
(９１)SFEＲ 839
ＩＮＣＩ：シクロペンタシロキサン および ジメチコーン／ビニル ジメチコーン 架橋ポリマー
製造元：GE Silicones
(９２)Silikonol Wacker AKＲ 350
ＩＮＣＩ：ジメチコーン
製造元：Wacker
(９３)TegoＲ Care 450
ＩＮＣＩ：Polyglyceryl-3 メチルグルコース ジステアレート
製造元：Tego Cosmetics (Goldschmidt)
(９４)TegoＲ Care CG 90
ＩＮＣＩ：セテアリル グルコシド
製造元：Goldschmidt
(９５)TegosoftＲ DEC
ＩＮＣＩ：ジエチルヘキシル カーボネート
製造元：Goldschmidt
(９６)TinosorbＲ S
ＩＮＣＩ：ビス-エチルヘキシルオキシフェノール メトキシフェニル トリアジン
製造元：Ciba Specialty Chemicals Corporation
(９７)TinosorbＲ M
ＩＮＣＩ：メチレン ビス-ベンゾトリアゾリル テトラメチルブチルフェノール
製造元：Ciba Specialty Chemicals Corporation
(９８)TweenＲ 60
ＩＮＣＩ：Polysorbate 60
製造元：Uniqema (ICI Surfactants)
(９９)UvasorbＲ HEB
ＩＮＣＩ：ジエチルヘキシル ブタミド トリアゾン
製造元：3V Inc.
(１００)UnirepＲ U-18
ＩＮＣＩ：ジメチル フタレート および ジエチル トルアミド および エチル ヘキサンジオール
製造元：Induchem AG
【００８６】
(１０１)UvinulＲ T 150
ＩＮＣＩ：エチルヘキシル トリアゾン
製造元：BASF
(１０２)UvinulＲ A plus
ＩＮＣＩ：ジエチルアミノ ヒドロキシベンゾイル ヘキシル ベンゾエート
製造元：BASF
(１０３)VeegumＲ Ultra
ＩＮＣＩ：マグネシウム アルミニウム シリケート
製造元：R. T. Vanderbilt Company, Inc.
(１０４)VeegumＲ Plus
ＩＮＣＩ：マグネシウム アルミニウム シリケート および セルロース ゴム
製造元：R.T. Vanderbilt Company, Inc.
(１０５)Z-CoteＲ HP 1
ＩＮＣＩ：酸化亜鉛 および トリエトキシカプリリルシラン
製造元：BASF
(１０６)Zinc Oxide NDM
ＩＮＣＩ：酸化亜鉛
製造元：Symrise
【国際調査報告】
2009507971.tif 000016
2009507971.tif 000017
2009507971.tif 000018
2009507971.tif 000019
2009507971.tif 000020
2009507971.tif 000021